(57)【要約】      （修正有）【課題】  裏面に設置した光源を用いないときは、観測者側の面の画像のみを観測し、裏面側の光源を使用したときは表面と裏面の画像を同時に観測し、さらに、表面側の画像と裏面側の画像の距離を変えることにより容易に立体的な画像を得ることができる看板あるいは電飾インテリアオブジェを提供する。【解決手段】  光学的に半透過な素材板の表面に写真、絵、文字、図形、記号、模様、その他の画像が表現してあり、裏面に写真、絵、文字、図形、記号、模様その他の画像が表現してあり、裏面に光源が設置してある電飾オブジェあるいは看板であって、光源から光が照射されていない際には、表面の画像のみを閲覧者に外光で認識せしめることが可能であり、光源から光が照射された際には光が裏面側から表面側へと透過可能であり、表面の画像と裏面の画像を同時に閲覧者に認識せしめることが可能な電飾オブジェあるいは看板。【選択図】  図６
2007098929.tif 000002
【特許請求の範囲】
【請求項１】
光学的に半透過な素材板の表面に写真、絵、文字、図形、記号、模様、その他の画像が表現してあり、裏面に写真、絵、文字、図形、記号、模様その他の画像が表現してあり、裏面に光源が設置してある電飾オブジェあるいは看板であって、前記光源から光が照射されていない際には、該表面の画像のみを閲覧者に外光で認識せしめることが可能であり、該光源から光が照射された際には該光が該裏面側から該表面側へと透過可能であり、該表面の画像と該裏面の画像を同時に閲覧者に認識せしめることが可能な電飾オブジェあるいは看板。
【請求項２】
光学的に半透過な第一の素材板の表面に写真、絵、文字、図形、記号、模様、その他の画像が表現してあり、光を半透過可能な第二の素材板に写真、絵、文字、図形、記号、模様その他の画像が表現してあり、第一の素材板と第二の素材板が重ねて設置してあり、第二の素材板の裏面に光源が設置してある電飾オブジェあるいは看板であって、前記光源から光が照射されていない際には、第一の素材板の画像のみを閲覧者に外光で認識せしめることが可能であり、該光源から光が照射された際には該光が第二の素材板から第一の素材板へと透過可能であり、第一の素材板の画像と第二の素材板の画像を同時に閲覧者に認識せしめることが可能な電飾オブジェあるいは看板。
【請求項３】
光を半透過可能な第一の素材板の表面に写真、絵、文字、図形、記号、模様、その他の画像が表現してあり、光を半透過可能な第二の素材板に写真、絵、文字、図形、記号、模様その他の画像が表現してあり、第一の素材板と第二の素材板が０．５ｍｍ以上離れて設置してあり、第二の素材板の裏面に光源が設置してある電飾オブジェあるいは看板であって、前記光源から光が照射されていない際には、第一の素材板の画像のみを閲覧者に外光で認識せしめることが可能であり、該光源から光が照射された際には該光が第二の素材板から第一の素材板へと透過可能であり、第一の素材板の画像と第二の素材板の画像を同時に閲覧者に認識せしめることが可能な電飾オブジェあるいは看板。
【請求項４】
前記素材板において画像の濃淡に応じて凹凸加工で表現してなることを特徴とする請求項１から３のいずれかに記載の電飾オブジェあるいは看板。
【請求項５】
請求項１から４に記載の電飾オブジェあるいは看板において、裏面側の画像の上に、あるいは第二の素材板の第一の素材板のない面側に第三の半透明な素材板を有することを特徴とする請求項１から４に記載の電飾オブジェあるいは看板。
【請求項６】
閲覧者が観測可能な面が２面以上あることを特徴とする請求項１から５に記載の電飾オブジェあるいは看板。
【請求項７】
閲覧者が観測可能な面が側面であって箱型のハウジングと、該ハウジング内に設けられる光源と、該光源を駆動する電材部品からなり、前記ハウジングが板の折曲げ加工により形成されてなることを特徴とする請求項１から６のいずれかに記載の電飾オブジェあるいは看板。
【請求項８】
前記光源が面状光源であることを特徴とする請求項１から７のいずれかに記載の電飾オブジェあるいは看板。〔発明の名称〕電飾オブジェならびに看板
【発明の詳細な説明】
【技術分野】
【０００１】本発明は、インテリアオブジェあるいは看板に関する。すなわち、例えば店内，オフィス内，家庭内等において、展示，装飾，告知用等に使用される、インテリア置物，電飾オブジェまたは看板に関するものである。
【背景技術】
【０００２】特開２００４−５０７１３に記載のように従来、光源を有するインテリアオブジェや看板の表面のみに写真、絵、文字、図形、記号、模様、その他の画像が表現してある。光源がある方向である裏面には絵や文字などを記載していなかった。また、これらのものを立体に表現するために画像に対応した凹凸が施されているものがあった。さらに、特開２００３−２９５７９５では、立体的な表示効果を持たせるためにハイライト部を形成させることを行っていた。しかしながらこれらのものは、外光を利用した場合と内蔵の光源を利用した場合での情報に差異がなく、インテリア感や趣味感に欠け、アピール力や告知力に乏しい、という問題が指摘されていた。すなわち、この種従来例はいずれも、色彩，デザイン，その他の平面的表現に力が注がれており、立体感がなくリアル性に劣り、もってインテリア感，趣味感，アピール力，告知力等に、自ずと限界が存していた。もって、新しい表現の誕生が待ち望まれていた。このようなインテリア感，趣味感，アピール力，告知力等を高める一つの方法としては、例えば、電子ディスプレイを配置するなど物的面で大掛かりな仕掛けを実施することも考えられたが、人手やコストを要するという難点があった。
【発明が解決しようとする課題】
【０００３】本発明は、このような実情に鑑み、上記従来例の課題を解決すべく、発明者の鋭意研究努力の結果なされたものであって、裏面（観測者とは反対側の面）に設置した光源を用いないときは、観測者側の面の画像のみを観測し、裏面側の光源を使用したときは表面と裏面の画像を同時に観測することで、新規な画像を観測者に提供することができるという、新しい表現により、インテリア感，趣味感，アッピール力，告知力等を、大きく向上させることができる。さらに、表面側の画像と裏面側の画像の距離を変えることにより容易に立体的な画像を得ることができる看板あるいは電飾インテリアオブジェを提案することを目的とする。
【課題を解決するための手段】
【０００４】本発明は本発明者の鋭意研究により、本研究の目的は下記（１）から（７）の電飾オブジェあるいは看板によって実現された。（１）光を半透過可能な素材板の表面に写真、絵、文字、図形、記号、模様、その他の画像が表現してあり、裏面に写真、絵、文字、図形、記号、模様その他の画像が表現してあり、裏面に光源が設置してある電飾オブジェあるいは看板であって、前記光源から光が照射されていない際には、該表面の画像のみを閲覧者に外光で認識せしめることが可能であり、該光源から光が照射された際には該光が該裏面側から該表面側へと透過可能であり、該表面の画像と該裏面の画像を同時に閲覧者に認識せしめることが可能な電飾オブジェあるいは看板。（２）光を半透過可能な第一の素材板の表面に写真、絵、文字、図形、記号、模様、その他の画像が表現してあり、光を半透過可能な第二の素材板に写真、絵、文字、図形、記号、模様その他の画像が表現してあり、第一の素材板と第二の素材板が重ねて設置してあり、第二の素材板の裏面に光源が設置してある電飾オブジェあるいは看板であって、前記光源から光が照射されていない際には、第一の素材板の画像のみを閲覧者に外光で認識せしめることが可能であり、該光源から光が照射された際には該光が第二の素材板から第一の素材板へと透過可能であり、第一の素材板の画像と第二の素材板の画像を同時に閲覧者に認識せしめることが可能な電飾オブジェあるいは看板。（３）光を半透過可能な第一の素材板の表面に写真、絵、文字、図形、記号、模様、その他の画像が表現してあり、光を半透過可能な第二の素材板に写真、絵、文字、図形、記号、模様その他の画像が表現してあり、第一の素材板と第二の素材板が０．５ｍｍ以上離れて設置してあり、第二の素材板の裏面に光源が設置してある電飾オブジェあるいは看板であって、前記光源から光が照射されていない際には、第一の素材板の画像のみを閲覧者に外光で認識せしめることが可能であり、該光源から光が照射された際には該光が第二の素材板から第一の素材板へと透過可能であり、第一の素材板の画像と第二の素材板の画像を同時に閲覧者に認識せしめることが可能な電飾オブジェあるいは看板。（４）前記素材板において画像の濃淡に応じて凹凸加工で表現してなることを特徴とする（１）から（３）のいずれかに記載の電飾オブジェあるいは看板。（５）前記（１）から（４）に記載の電飾オブジェあるいは看板において、裏面側の画像の上に、あるいは第二の素材板の第一の素材板のない面側に第三の半透明な素材板を有することを特徴とする（１）から（４）に記載の電飾オブジェあるいは看板。（６）閲覧者が観測可能な面が２面以上あることを特徴とする（１）から（５）に記載の電飾オブジェあるいは看板。（７）閲覧者が観測可能な面が側面であって箱型のハウジングと、該ハウジング内に設けられる光源と、該光源を駆動する電材部品からなり、前記ハウジングが板紙の折曲げ加工により形成されてなることを特徴とする（１）から（６）のいずれかに記載の電飾オブジェあるいは看板。（８）前記光源が面状光源であることを特徴とする（１）から（７）のいずれかに記載の電飾オブジェあるいは看板。
【発明の効果】
【０００５】本発明によれば、裏面に設置した光源を用いないときは、観測者側の面の画像のみを観測し、裏面側の光源を使用したときは表面と裏面の画像を同時に観測することで、新規な画像を観測者に提供することができるという、新しい表現により、インテリア感，趣味惑，アッピール力，告知力等を、大きく向上させることができる。さらに、表面側の画像と裏面側の画像の距離を変えることにより容易に立体的な画像を得ることができる看板あるいは電飾インテリアオブジェを提供する。
【発明を実施するための最良の形態】以下、本発明の実施の形態について、本発明で奏する作用効果をも含めて、詳細に説明する。【０００６】光学的に半透過な素材板とは、裏面からの光がなく表面からの光のみでの状態では、表面は表面からの光の反射光のみで観測が可能であり、裏面からの光があるときは裏面からの光は半透過な素材板を通して表面から観測可能な状態になる板のことである。例えば厚み０．２ｍｍの白色のポリカーボネート板などがこの半透過な素材板である。素材に関しては、プラスチック板や紙、着色ガラスなどを用いることができるが、特に素材にこだわらない。また厚みに関しては半透過となる厚みであればいかなる厚みでもかまわない。【０００７】表面や裏面に表現されている図面は写真、絵、図形、記号、模様、文字その他いかなる画像でもかまわない。これらは印刷されたものでもかまわないし、シールなどで貼り付けられたものでもかまわないし、直接描画されたものでもかまわない。また、型抜きされたものでもかまわない。【０００８】本発明品は、屋内などの直射日光が照射されておらず、外光の強くない状態において、前記両面に画像が記載された半透過板の裏面から光源にて光を照射した際には、裏面の画像は半透過板を通して面面から観測可能となり、表面の画像は外光からの光で観測できるため、表面の画像と裏面の画像を同時に観測することが可能である。すなわち、裏面側の光源を用いない場合、裏面の画像は観測者には認識できないため表面だけの画像を観測することになり、裏面の光源を用いると表面と裏面の画像を同時に観測することになる。【０００９】表面の画像と裏面の画像に関して、デザイン性や異なる情報を与えることにより、インテリア感やアピール力が増し好ましい。【００１０】表面の画像と裏面の画像を二枚の板（第一の素材板、第二の素材板）に分けてもかまわない。さらに第二の素材板を適宜交換して、様々な情報を与えることも可能である。【００１１】第一の素材板と第二の素材板の距離を０．５ｍｍ以上好ましくは１ｍｍ以上離して設置し、裏面の光源を用いて、表面と裏面の画像を同時に観測することにより、観測者にとって表面と裏面の画像に視差が生じるため立体的に観測することができる。０．５ｍｍ未満であれば視差がほとんど生じず、立体とはならない。表面と裏面の画像に関してはこの立体を生かしたデザインであることが好ましい。例えば裏面側の画像が背景画像であり、表面側の画像が人物画像であれば、表面と裏面の画像を同時に観測した場合、背景に対して人物画像が飛び出して見え、インテリア感やアピール力が増す。【００１２】表面の画像に凹凸を施すことにより立体感が増すため好ましい。凹凸のサイズは特にこだわらないし、その施し方は特にこだわらない。【００１３】裏面側の画像側にさらに第三の半透明板を設置しても構わない。これにより観測者は裏面側から反射光で観測した際に裏面の画像を観測することができない。観測者は、本発明品を裏面側からの透過光で観測した際に始めて裏面側の画像を観測できるため、観測者は裏面側の画像が現れたときに驚きを感じるため、よりアピール力が増す。同様に、第二の素材板のさらに外側（第一の素材板とは反対側の面）に第三の半透明な素材板を設置しても構わない。これにより観測者は第三の半透明板から反射光で観測した際に第二の素材板に表現してある画像を認識することができない。観測者は、本発明品を裏面側からの透過光で観測した際に始めて裏面側の画像を観測できるため、観測者は裏面側の画像が現れたときに驚きを感じるため、よりアピール力が増す。なお、これらの半透明板は反射光で観測した際には表面の色が観測でき、透過光で観測した際には裏面が透けて見えることが好ましい。【００１４】本発明の電飾オブジェあるいは看板は、観測する面が一面だけでもかまわないが、好ましくは２面以上あり、光源をはさんで両面から観測できることが好ましい。さらに、３面や４面であってもよい。例えば電飾オブジェの形状が三角柱状や四角柱状のものであり、側面の全ての面から観測可能であれば、卓上に設置したり、天井から吊り下げたりすることで、全方位からこの電飾オブジェを楽しむことができる．【００１５】前記のような３面あるいは４面の電飾オブジェあるいは看板がハウジング形状となっており、画像が施された板を折り曲げ加工にて形成されている構造であればコストが安く好ましい。【００１６】裏面に設置してある光源はどんなものでもかまわないが面状光源であれば表面に均一に光を照射することが可能なため好ましい。面状光源は冷陰極管あるいはＬＥＤを光源とし導光板を用いたものでもかまわないし、有機ＥＬや無機ＥＬのようなものでもかまわない。また、面状光源にさらなる画像を施してあってもかまわない。また、光源には徐々に光強度を強くしたり、徐々に弱くしたりする機能が付与されていればより好ましい。
【実施例】
【００１７】以下本発明の実施形態を図面に示す実施例により詳述する。本発明は以下の実施例にこだわらず、請求項を満足するものであればいかなる形態でもかまわない。（実施例１）厚み０．２ｍｍの白色のポリカーボネート板の表面に図１に示すような白黒のストライブのデザインを施し、裏面には図２に示すようにウマの輪郭の外側を光が透過しないように黒色で、内側を光が透過するように半透過の白色にしたものを４枚用意した。４枚を四角柱状のハウジング構造に配置し、内部に６０Ｗの白熱電球を設置し、電飾オブジェを作製した。４０Ｗの蛍光灯で照らされ、前記蛍光灯以外の光のない屋内にて、内部の電球をＯＦＦにした状態にて本電飾オブジェを観測したところ、図３に示すように白黒のストライプのデザインの模様のみを観測することができた。さらに、内部の電球をＯＮにしたところ、図４に示すように裏面側のウマの輪郭と、表面側のストライプが重なって見え、ストライプのデザインからシマウマのデザインに変わった。これにより観測者は強い驚きと、デザイン性を感じた。さらに、内部の光源を徐々に暗くしたり、徐々に明るくしたりすることにより、よりデザイン性が高まった。【００１８】（実施例２）  第一の半透過板として厚み０．２ｍｍの白色のポリカーボネート板の表面に人物のデザインを施し、第二の半透過板として０．２ｍｍの透明ポリカーボネートに山の図デザインを施した。第一の半透過板と第二の半透過板を７ｍｍ離して設置し、第二の半透過板の裏面には、平面状のバックライトを設置し、電飾オブジェを作製した。  ４０Ｗの蛍光灯で照らされた外光のない屋内にて、内部のバックライトをＯＦＦにした状態にて本電飾オブジェを観測したところ、図５に示すように人物のデザインの模様のみを観測することができた。さらに、バックライトをＯＮにしたところ、図６に示すように第二の半透過板の山と表面の人物が重なって見えて、新しいデザインとして認識することができた。さらに、山の部分と人物の部分に視差が生じているため、人物が背景の山の部分よりも飛び出して見え、立体的なデザインとして認識することができ、強いアピール性があった。
【図面の簡単な説明】
【図１】実施例１に用いられた板の表面図。
【図２】実施例１に用いられた板の裏面図。
【図３】実施例１に用いられハウジング構造の内部光源ＯＦＦ時の様子
【図４】実施例１に用いられたハウジング構造の内部光源ＯＮ時の様子
【図５】実施例２に用いられたオブジェの内部光源ＯＦＦ時に表面から観測した様子
【図６】実施例２に用いられたオブジェの内部光源ＯＮ時に表面から観測した様子
【符号の説明】
１  半透過素材板の表面（図柄は一例）２  半透過素材板の裏面（図柄は一例）３  ハウジング構造の電飾オブジェ４  光源５  第一の半透過板６  第二の半透過板
【図１】
2007098929.tif 000003
【図２】
2007098929.tif 000004
【図３】
2007098929.tif 000005
【図４】
2007098929.tif 000006
【図５】
2007098929.tif 000007
【図６】
2007098929.tif 000008